(57)【要約】      （修正有）【課題】充分な回転ねじり力を備え、使用者の頭髪の巻き込みを防ぐマッサージ機の頭部偏心駆動構造を提供する。【解決手段】マッサージ機の頭部偏心駆動構造は、回転部材２の上部に偏心回転盤２２に軸着した駆動心軸２１１を設け、モーターを通して直接或いは間接的に偏心回転盤の軸棒２２１を駆動し、回転柱２４の貫通孔２４１に貫設したリベット２３を穿孔に枢着し、該穿孔は偏心回転盤上面の偏心位置に位置し、該回転柱はマッサージ頭部３の一端の連動柱３１の内部に嵌着し定位させる。【選択図】図１
0003173580.tif 000002
【実用新案登録請求の範囲】
【請求項１】
マッサージ頭部の一端に連動溝を内設した連動柱を回転部材の回転柱に嵌設して定位させ、二スリット間には弾性片を形成し、該弾性片の端部の外側方向には嵌合突出部を突設し、連動溝の周囲縁にはスリットに挿入する従動骨を設け、尚且つ、内溝縁には直径の比較的長い嵌合部を設けて嵌合突出部を中に収めて定位させるマッサージ機の頭部偏心駆動構造において、
回転部材は、上部に伝動体を設け、伝動体の中央にはモーターから延伸する中空で開口が上向きの駆動心軸を設け、偏心回転盤の中央下方に設けた軸棒を駆動心軸と定位させて伝動体上に配置し、尚且つ、軸棒周辺の適当位置には穿孔を設け、リベットを用いて回転柱の底部に設けた貫通孔に通して穿孔に枢着することにより、回転柱を偏心回転盤上面の偏心位置に配置し、
マッサージ頭部は、一端の中央位置に設けた連動柱を回転柱に嵌設して定位させ、他の一端に揉み動作面を設け、
これにより、偏心回転盤を伝動体内に軸着し、モーターは駆動心軸を通して偏心回転盤が自動的に定軸回転するのを従動して回転柱を偏心回転させるとともに、回転柱は、穿設したリベットによって穿孔上で受動的に定軸回転するため、回転ねじり力を高め、極めて良好な偏心効果を備えることを特徴とするマッサージ機の頭部偏心駆動構造。
【請求項２】
前記回転柱の外周には、偏心回転盤の上面に位置する周囲保護板を突設し、尚且つ、連動柱口エッジには環状溝を凹設し、該環状溝は周囲保護板の上方を丁度被嵌して回転柱の露出を防ぐことを特徴とする請求項１に記載のマッサージ機の頭部偏心駆動構造。
【請求項３】
前記回転柱と連動溝は直径の比較的長い部材に製作することにより回転ねじり力を向上させることができることを特徴とする請求項１に記載のマッサージ機の頭部偏心駆動構造。
【請求項４】
前記マッサージ頭部の揉み動作面は多点式形態であることを特徴とする請求項１に記載のマッサージ機の頭部偏心駆動構造。
【請求項５】
前記マッサージ頭部の揉み動作面はスポンジであることを特徴とする請求項１に記載のマッサージ機の頭部偏心駆動構造。
【請求項６】
前記マッサージ頭部の揉み動作面は凹型長方形状形態であることを特徴とする請求項１に記載のマッサージ機の頭部偏心駆動構造。
【請求項７】
前記マッサージ頭部の揉み動作面はカップ型の形態であることを特徴とする請求項１に記載のマッサージ機の頭部偏心駆動構造。
【考案の詳細な説明】
【技術分野】
【０００１】
本考案は、身体の肌肉をマッサージして、身体を解きほぐしプレッシャーを緩和するのに用いる「マッサージ機の頭部偏心駆動構造」に関し、偏心回転盤とマッサージ頭部を組み合わせ、マッサージ頭部の揉み動作面を利用して接触する人体皮膚に手で行う精巧なマッサージのような快適さを生じさせるマッサージ機の頭部偏心駆動構造に係る。
【背景技術】
【０００２】
特許文献１の中華民国実用新案第９３２０７１６１（ＴＷ）号「偏心式回転フィードバックマッサージ構造」は、本考案出願者が以前出願した実用新案である。
【０００３】
一般に公知の偏心回転マッサージ構造（図８参照）において、クランク８の方の固設部８１を回転部材７の軸結柱７１上に取り付けて共にモーターと連動させ、枢着部９１はマッサージ頭部９の中央底部に設け、クランク８上方一端の突出軸８２はさらに枢着部９１と軸着し、これにより、回転部材７を起動させた時、回転部材７上に偏心設置したクランク８及びマッサージ頭部９には偏心状の回転が生まれる。しかし、該回転部材７、クランク８、マッサージ頭部９間は補助部材を組み合わせて初めて組立てが完成するため、全体のコストが高くなるばかりでなく、組立て動作に多くの人力が浪費され、しかも、マッサージ頭部９と接触面は常に非一定方向角度をなし、クランク８に偏向応力が形成されて揉み解しが不均一となり易く、甚だしくは偏向応力の過大を招き、ねじり力が不足して停止し、要望に応じた使用が不可能となる。
【０００４】
さらに、特許文献２の中華民国実用新案第９７２２０３７０（ＴＷ）号「組合式回転マッサージ機の頭部」及び特許文献３の中華民国実用新案第９８２０４３２３（ＴＷ）号「偏心旋回式マッサージ機」の二つも同様に、本出願者が以前出願した実用新案である。
【０００５】
また、偏心回転マッサージ機（図９参照）の回転部材４は、中心モーターの中央から、中空で開口を上向きに設けた伝動柱４１を延伸させ、その周囲縁を区切る状態で軸方向に平行する四スリットを設け、四スリット間に弾性片を形成する。該弾性片の端部外方向にそれぞれ嵌合突出部を突設し、尚且つ、回転盤５とマッサージ頭部６の相対する側に、互いに嵌合する第一環状壁５１と第二環状壁６１をそれぞれ設置し、もう一方側の表面には、それぞれ連動溝５２を配置し、揉み動作面６２を形成する。該連動溝５２は回転盤５の偏心位置に設置し、その周囲縁には丁度スリットに挿入される従動骨を設け、尚且つ、内溝縁には直径の長い嵌合部を設けて嵌合突出部を中に収めて定位させる。また、伝動柱４１は従動する回転盤５を偏心回転させ、マッサージ頭部６に揉む動作を起こさせるが、該回転盤５が過大であると偏心が大きすぎて横揺れするため手で握るのが難しくなり、過小であると偏心が小さすぎて回転範囲が狭くなり、小型マッサージ機に応用する場合は、該伝動柱４１は回転盤５の直径に制限を受け、柱幅を比較的小さくして製作すると、それが従動する回転力も明らかに不足する。
【０００６】
しかも、上述二種のマッサージ機は、モーターが従動するクランク８及び伝動柱４１を露出方式でマッサージ頭部９及び回転盤５に連結しており、且つ、相互の偏心作動を制限するため、頭髪が内部に巻き込まれるのを周囲保護板で防ぐことができず、長髪者の頭髪を巻き込む事故がよく発生する。
【０００７】
よって、本考案者は安全上の要求と理念に基づき改良を加え、人間化、効率化の予期する効果を達成し、さらに新規性、進歩性、及び実用性を兼ね備える本考案を提供する。
【先行技術文献】
【特許文献】
【０００８】
【特許文献１】中華民国実用新案第９３２０７１６１号明細書
【特許文献２】中華民国実用新案第９７２２０３７０号明細書
【特許文献３】中華民国実用新案第９８２０４３２３号明細書
【考案の概要】
【考案が解決しようとする課題】
【０００９】
上述の問題点に鑑み、本考案は、充分な回転ねじり力を備える偏心マッサージを提供し、使用者の頭髪が巻き込まれる危険を防ぐマッサージ機の頭部偏心駆動構造を提供する。
【課題を解決するための手段】
【００１０】
本考案の主な目的は、マッサージ機の頭部偏心駆動構造を提供することにある。その内、上部体には中央に駆動心軸を設けた伝動体の回転部材を設置し、偏心回転盤の軸棒を、モーターによって直接或いは間接的に回転する駆動心軸を伝動体上に軸着し、しかも該軸棒の周囲傍にはリベットを回転柱に通すための貫通孔を設け、該回転柱は偏心回転盤上面の偏心位置に配置し、該回転柱の底部には貫通孔を設け、周囲縁には軸方向に平行し区切った状態の複数のスリットを設け、二スリット間には弾性片を形成し、弾性片の端部の外側方向には嵌合突出部を突設し、さらに一端の中央に連動柱を設けたマッサージ頭部を回転柱に嵌設し、該連動柱の内部周囲縁には複数個の従動骨が丁度スリットに挿入する連動溝を設け、尚且つ、内溝縁には直径の比較的長い嵌合部を設けて嵌合突出部を中に収めて定位させる。スイッチボタンはモーターが駆動心軸を回転させるのをコントロールし、偏心回転盤は軸棒の軸回転によって、その上面上の回転柱と嵌設するマッサージ頭部を従動し、それを偏心回転させる。また、マッサージ頭部が揉み動作面の偏心回転によって人体に近づき接触する時、それが生じさせる反作用力は、偏心回転盤とマッサージ頭部の相対する回転によって打ち消され、さらに動作を緩め揉み解して圧する状態が生まれ、肌肉を快適に押し揉み解し圧するマッサージを提供し、尚且つ、ねじり力の要求に応じて直径の長い回転柱と連動溝を製作することにより、充分な回転ねじり力を備える偏心マッサージを提供する。
【００１１】
本考案の次の目的は、マッサージ機の頭部偏心駆動構造を提供することにある。その内、偏心回転盤の外周には周囲保護板を設け、連動柱口の縁には環状溝を設け、回転柱を連動溝内に嵌設定位した後、周囲保護板は回転柱（原護圍板改為轉動旋柱/P4L9）を被嵌するため使用者の頭髪が巻き込まれる危険を防ぐ。
【考案の効果】
【００１２】
本考案は、マッサージ頭部の揉み動作面を利用して接触する人体皮膚に手で行う精巧なマッサージのような快適さを生じさせ、直径の長い回転柱と連動溝の製作により、充分な回転ねじり力を備える偏心マッサージを提供し、周囲保護板によって使用者の頭髪が巻き込まれる危険を防ぐ効果を備える。
【図面の簡単な説明】
【００１３】
【図１】本考案の分解斜視図である。
【図２】本考案の偏心回転盤の背面斜視図である。
【図３】本考案の組立図である。
【図４】本考案の断面図である。
【図５】本考案の回転部材の斜視図である。
【図６】本考案の偏心回転盤の回転状態を示す図である。
【図７】本考案に組み合わせる各種マッサージ頭部を示した図である。
【図８】公知回転マッサージ機の一部断面図を含む斜視図である。
【図９】もう一つの公知回転マッサージ機の一部断面図を含む全体図である。
【考案を実施するための形態】
【００１４】
以下、添付図面を参照して本考案の実施の形態を詳細に説明する。
【実施例】
【００１５】
図１乃至図４に示すとおり、本考案には主に次の構成要素を含む。
【００１６】
回転部材２は、上部体に伝動体２１を設け、伝動体２１の中央には、中空で開口が上向きの駆動心軸２１１をモーターから直接延伸させるか、或いは歯車軸部を組み合わせて間接的に延伸させ、偏心回転盤２２の軸棒２２１を上から下へ軸着する。偏心回転盤２２は、中央下方に軸棒２２１を設け、モーター駆動後は一緒に軸回転し、尚且つ、軸棒２２１周辺の適当位置に穿孔２２２を設け、リベット２３を上から下へと回転柱２４の貫通孔２４１を通して枢着し、回転柱２４を偏心回転盤２２の上面に配置し、回転柱２４の底部には貫通孔２４１を設け、周囲縁を相互に区切り、少なくとも二つの軸方向に平行するスリット２４２を設け、スリット２４２は端面内一部を少しカットし、二スリット２４２間には弾性片２４３を形成し、弾性片２４３の端部の外方向に突設した嵌合突出部２４４をマッサージ頭部３の連動溝３２と嵌合定位させ、並びに、回転柱２４の外周に突設した周囲保護板２５によって、該回転柱２４の露出を防ぐ。
【００１７】
マッサージ頭部３は、一端中央に連動柱３１を設け、連動柱３１の内部には連動溝３２を凹設し、その周囲縁には偏心回転盤２２のスリット２４２に丁度挿入される従動骨３２１を設け、尚且つ、内溝縁には直径の比較的長い嵌合部３２２を設け、嵌合突出部２４４を中に収めて定位させる。連動柱３１の一縁には、周囲保護板２５の上部を被嵌する環状溝３１１を設け、他端には揉み動作面３３を設け、マッサージによる振動を緩和させる。前述の構造を用いて、首、胸、腰、腹等の肌肉及びリンパ腺箇所を揉み解してマッサージによるリラックス効果を達成する。
【００１８】
図３、図５、図６に示すとおり、偏心回転盤２２を駆動心軸２１１上に軸着し、リベット２３を回転柱２４の貫通孔２４１に貫設し、穿孔２２３中に枢着して軸回転させる。さらにマッサージ頭部３の連動柱３１を回転柱２４方向に押圧すると、圧した時の力が設置したスリット２４２及び嵌合突出部２４４に係合し、自動的に弾性片２４３を内側に押し付け、それと同時に、スリット２４２内に挿入した従動骨３２１が連動溝３２の内溝縁を押すと、弾性片２４３はまた自動的に元の位置に戻り、嵌合突出部２４４は嵌合部３２２（原嵌合突出部２４４改為嵌合部３２２/P5倒數3）内に収められて定位する。これにより、回転柱２４は連動溝３２内に嵌入され、尚且つ、環状溝３１１は周囲保護板２５の上方を被嵌する。スイッチボタン２６によって回転部材２のモーター動作をコントロールすると、駆動心軸２１１は軸棒２２１を駆動し、偏心回転盤２２は軸棒２２１を軸心として自動的に回転し、さらに上部の回転柱２４と嵌合するマッサージ頭部３を従動して偏心回転させ、それと同時に力を受けて回転する。並びに、マッサージ頭部３は揉み動作面３３を偏心回転させ、それが人体に近づき接触する時、生じた反作用力は偏心回転盤２２とマッサージ頭部３の相対する回転力によって打ち消される。この時、マッサージ頭部３は、緩い動きの揉んで圧する状態となり、使用者は、技術に長けたマッサージ師が直接揉み解してくれている様に感じ、未だ嘗てない快適感を味わうことができ、振動マッサージ機がもたらす痛みを防ぐことができる。
【００１９】
また、偏心回転盤２２と連動柱３１間の組み合わせにより、回転柱２４をマッサージ頭部３中心の連動溝３２内に嵌着定位し、定軸と偏心回転盤２２に逆方向回転を生じるため、周囲保護板２５上方に被嵌する環状溝３１１が使用者の頭髪を巻き込む危険を防ぐことができる。しかも、ねじり力及び大きさの要望に応じて直径の比較的長い回転柱２４と連動溝３２を製作でき、回転ねじり力の充分な偏心マッサージを提供する。使用者が異なるマッサージ変化を楽しみたい場合は、図７に示すとおり、マッサージ頭部３を、多点式揉み解しマッサージ効果を備える揉み動作面３３、胸部の揉み解しマッサージができるカップ型揉み動作面３３Ａ、顔部の揉み解しマッサージができるスポンジ揉み動作面３３Ｂ、腹部の揉み解しマッサージができる凹型長方形状揉み動作面３３Ｃから選択して交換可能である。これにより、一機多用のマッサージ機となる。
【００２０】
前述したとおり、本考案は充分な回転ねじり力と極めて優れた偏心効果の運用を提供し、回転柱２４の露出を防ぐ実用性を備え、実用性向上という実用新案の出願要件を満たすものである。
【符号の説明】
【００２１】
２     回転部材
２１   伝動体
２１１ 駆動心軸（原軸孔改為駆動心軸）
２２   偏心回転盤
２２１ 軸棒
２２２ 穿孔
２３   リベット
２４   回転柱
２４１ 貫通孔 
２４２ スリット
２４３ 弾性片
２４４ 嵌合突出部
２５   周囲保護板
２６   スイッチボタン
３     マッサージ頭部
３１   連動柱
３１１ 環状溝
３２   連動溝
３２１ 従動骨
３２２ 嵌合部
３３   揉み動作面
３３Ａ 揉み動作面
３３Ｂ  揉み動作面
３３Ｃ 揉み動作面
４     回転部材
４１   伝動柱
５     回転盤
５１   第一環状壁
５２   連動溝
６     マッサージ頭部
６１   第二環状壁
６２   揉み動作面
７     回転部材
７１   軸結柱
８     クランク
８１   固設部
８２   突出軸
９     マッサージ頭部
９１   枢着部
【図１】
0003173580.tif 000003
【図２】
0003173580.tif 000004
【図３】
0003173580.tif 000005
【図４】
0003173580.tif 000006
【図５】
0003173580.tif 000007
【図６】
0003173580.tif 000008
【図７】
0003173580.tif 000009
【図８】
0003173580.tif 000010
【図９】
0003173580.tif 000011